(57)【特許請求の範囲】
【請求項１】
表示装置に表示される特定画像の色が、複数種の色のうちのいずれかとされる所定の演出を実行する演出実行手段と、
それぞれを独立して制御することが可能な第一発光部および第二発光部が一体的に設けられた装飾部材と、
を備え、
前記装飾部材は、正面から見て、前記第一発光部の発光面の少なくとも一部と前記第二発光部の発光面の少なくとも一部が連続するように構成されており、
前記所定の演出が実行されているとき、前記装飾部材の前記第一発光部が前記特定画像の色に対応した色で発光する一方、前記第二発光部が当該第一発光部の色とは異なる色で発光することを特徴とする遊技機。
【発明の詳細な説明】
【技術分野】
【０００１】
本発明は、発光部を有する装飾部材を備えた遊技機に関する。
【背景技術】
【０００２】
遊技機は、発光部を有する装飾部材（電飾）を備えたものが一般的である。下記特許文献１に記載される遊技機等、この種の遊技機では、装飾部材による演出効果を高めるため、実行されている演出に合わせて発光部の発光態様（発光色等）を制御することがある。
【先行技術文献】
【特許文献】
【０００３】
【特許文献１】特開２００４−３４４３４６号公報
【発明の概要】
【発明が解決しようとする課題】
【０００４】
このような遊技機において、発光部の発光態様を演出に対応させたものとしても、当該発光態様が演出に対応したものなのか、そうでないのかが分かりにくいことがある。
【０００５】
本発明が解決しようとする課題は、発光部を有する装飾部材を備えた遊技機において、少なくとも一部の発光部の発光態様を演出に対応させたものとする場合、当該発光態様が演出に対応したものであることを分かりやすくすることにある。
【課題を解決するための手段】
【０００６】
上記課題を解決するためになされた本発明にかかる遊技機は、それぞれを独立して制御することが可能な第一発光部および第二発光部が一体的に設けられた装飾部材を備え、前記装飾部材は、正面から見て、前記第一発光部の発光面の少なくとも一部と前記第二発光部の発光面の少なくとも一部が連続するように構成されており、所定の演出が実行されているとき、前記装飾部材の前記第一発光部が当該所定の演出に対応した発光態様となる一方、前記第二発光部が当該第一発光部の発光態様とは異なる発光態様となることを特徴とする。
【発明の効果】
【０００７】
本発明にかかる遊技機によれば、装飾部材の第一発光部の発光態様が所定の演出に対応したものであることを分かりやすくすることが可能である。
【図面の簡単な説明】
【０００８】
【図１】本実施形態にかかる遊技機を模式的に示した正面図である。
【図２】装飾部材の断面形状を模式的に示した図である。
【図３】保留表示の態様（通常態様と特殊態様）を模式的に示した図である。
【図４】保留表示に対応させた装飾部材の制御例を説明するためのフローチャートである。
【図５】（ａ）は第一発光部を第一特殊態様の保留表示に対応させた発光態様としたもの、（ｂ）は第一発光部を第二特殊態様の保留表示に対応させた発光態様としたもの、（ｃ）は第一発光部を第三特殊態様の保留表示に対応させた発光態様としたものを模式的に示した図である。
【図６】所定の演出が実行されていないときにおいて、第一発光部の発光態様と第二発光部の発光態様を同じにした状態を模式的に示した図である。
【図７】背景が変化する演出（ステップアップ演出等）に対応させて装飾部材を制御させる例を模式的に示した図である。
【図８】ある演出においてストライプの模様が表示されているときに、第一発光部を帯が上下方向にならんだかのような発光態様とさせる例を模式的に示した図である。
【図９】第一発光部を演出に対応させた発光態様とさせた状態（ａ）と、第二発光部を演出に対応させた発光態様とさせた状態（ｂ）を模式的に示した図である。
【発明を実施するための形態】
【０００９】
以下、本発明にかかる遊技機１の一実施形態について図面を参照して詳細に説明する。まず、図１を参照して遊技機１の全体構成について簡単に説明する。
【００１０】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１１】
遊技領域９０２には、表示装置９１、始動入賞口９０４、大入賞口９０６、アウト口９０７などが設けられている。かかる表示装置９１の表示領域９１１は、遊技盤９０に形成された開口９０１を通じて視認可能となる領域である。なお、図１、図５〜図９は、表示領域９１１を大まかに記載するが、その形状等は適宜変更可能である（開口９０１の形状や大きさ、表示装置９１自体の形状や大きさを変更することで表示領域９１１の形状等を変更することができる）。
【００１２】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１３】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。また、本実施形態にかかる遊技機１はいわゆるぱちんこ遊技機であるが、以下で説明する技術思想は、スロットマシン等の他の遊技機にも適用することができる。
【００１５】
本実施形態にかかる遊技機１は装飾部材１０を備える。図１に示すように、本実施形態における装飾部材１０は、表示装置９１の下側に設けられている。装飾部材１０はいわゆる電飾であり、少なくとも、第一発光部１１および第二発光部１２を有する。第一発光部１１と第二発光部１２は、両方がベース部材１０ｂに固定されることによって（図２参照）、または一方の発光部に他方の発光部が固定されることによって一体化されたものであり、互いの相対位置が変化することはない。第一発光部１１は第二発光部１２よりも上側に位置する。つまり、第一発光部１１は第二発光部１２よりも表示装置９１側に位置する。後述するように、表示装置９１の下側には保留表示２０が表示されることとなるから、第一発光部１１は第二発光部１２よりも保留表示２０が表示される位置に近いということである。
【００１６】
第一発光部１１および第二発光部１２は、前面（遊技者側の面）が発光面となっており、当該発光面から前方に向かって光が出射される。図２に示すように、第一発光部１１の発光面（以下、第一発光面１１１と称することもある）は、第二発光部１２の発光面（以下、第二発光面１２１と称することもある）よりも前方（遊技者側）に位置する。つまり、第二発光部１２よりも第一発光部１１の方が前方に突出するように設けられており、当該突出した部分の先端面が第一発光面１１１となり、当該第一発光面１１１と第二発光面１２１の境界には段差が存在する。
【００１７】
ただし、第一発光面１１１と第二発光面１２１を正面（遊技者側）から見たとき、その少なくとも一部が連続している。具体的には、第一発光面１１１と第二発光面１２１の間には、各発光面の周囲を縁取りするように設けられる装飾を除き、両者を区切る部分が存在しない。つまり、遊技者が遊技機１を正面から見たときには、第一発光面１１１（第一発光部１１）と第二発光面１２１（第二発光部１２）は分離しておらず、一体であるかのように見える（図１等参照）。
【００１８】
第一発光部１１（第一発光面１１１）や第二発光部１２（第二発光面１２１）は、どのような形態であってもよい。本実施形態では、第一発光部１１は、所定の文字（本実施形態では四文字）を表すように形成されている。第二発光部１２は、特に意味を表わすものではない所定の装飾である。
【００１９】
第一発光部１１および第二発光部１２は、種々の色の光を発光することができるものである。後述する作用を発揮することができるものであれば、各発光部が発光することが可能な発光色は適宜設定することができる。また、光源の種類等は問わないため説明を省略する。第一発光部１１の発光態様および第二発光部１２の発光態様は、それぞれを独立して制御すること（一方の発光態様に影響を受けることなく他方の発光態様を制御すること）ができる。
【００２０】
このような第一発光部１１と第二発光部１２を有する装飾部材１０は、動作することが可能である。本実施形態では、一定量上下方向にスライドすることが可能である。その駆動機構はどのようなものであってもよいため、説明を省略する。上述したように、本実施形態における装飾部材１０は一体化されたものであるから、装飾部材１０が動作したとしても第一発光部１１と第二発光部１２の相対位置が変化することはない。ただし、上記の両発光部（発光面）の位置関係（前後方向の位置関係や発光面同士が連続しているという位置関係等）を満たす範囲において、一方の発光部に対する他方の発光部の相対位置が変化しうる構成としてもよい。
【００２１】
このように構成される装飾部材１０は、所定の演出の演出効果を高める作用を発現する。当該作用を所定の演出の一つである保留変化演出とともに説明する。
【００２２】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（本発明における当否判定情報に相当する）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口につき四つである。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００２３】
本実施形態にかかる遊技機１では、記憶手段に記憶されている当否判定結果の報知が開始されていない取得された数値（当否判定情報）のそれぞれに対応するマークである保留表示２０が、表示装置９１の表示領域９１１に表示される。具体的には、当否判定を実行するための数値が取得された順に並ぶよう、保留表示２０が表示装置９１に表示される。保留表示２０は図示されない制御基板に設けられる保留表示制御手段によって制御される。本実施形態では、図１等に示すように、表示装置９１の表示領域９１１の右下に、表示領域９１１の下側縁に沿って並ぶよう（当否判定結果の報知の開始が早い順に左から並ぶよう）表示される。
【００２４】
図３に示すように、保留表示２０は、その態様として通常態様２０ｎおよび特殊態様が設定されている。特殊態様は、通常態様２０ｎが表示されたときよりも、当該保留に対応する当否判定結果が大当たりとなる蓋然性（いわゆる大当たり信頼度）が高まるものである。通常態様２０ｎや特殊態様の具体的態様はどのようなものであってもよいが、本実施形態における特殊態様は通常態様２０ｎ自体やその周りが色付けられたものとなっている。具体的には、第一特殊態様２１ｓは通常態様２０ｎが青色に変わったものであり、第二特殊態様２２ｓは通常態様２０ｎが緑色に変わったものであり、第三特殊態様２３ｓは通常態様２０ｎが赤色に変わったものとなっている。なお、各図においては、保留表示２０や上記発光部の「色（発光色）」を文字で表現している。特殊態様間でもいわゆる大当たり信頼度に差が設定されていてもよい。本実施形態では、いわゆる大当たり信頼度は、特殊態様の中では第一特殊態様２１ｓが最も低く、第三特殊態様２３ｓが最も高い（第二特殊態様２２ｓのいわゆる大当たり信頼度は、第一特殊態様２１ｓより高く、第三特殊態様２３ｓより低い）。したがって、遊技者は、特殊態様が表示されること、および特殊態様が表示されるのであればより大当たり信頼度の高い特殊態様が表示されることを願いつつ遊技することとなる。
【００２５】
このように、保留表示２０は、いわゆる大当たり信頼度を示唆するものとして設定されているから、特殊態様が表示されるとき（このような通常態様２０ｎが特殊態様になる演出を保留変化演出と称する）には当該特殊態様が表示されたことを遊技者に認知させたり、チャンスなのではないかという認識をもたせたりすることが遊技を面白く感じてもらうために重要となる。そこで、本実施形態では、保留変化演出の演出効果を高めるため、装飾部材１０を利用している。なお、保留変化演出は、保留表示２０が表示される際に最初から特殊態様となるもの、通常態様２０ｎとして表示されていたものが特殊態様となるもの、ある特殊態様から別の特殊態様となるもの等、種々考えられる。
【００２６】
保留変化演出が発生したとき、装飾部材１０は図４に示すように制御（保留対応装飾部材制御）される。なお、以下の説明では、装飾部材１０の第一発光部１１や第二発光部１２の発光態様を制御する発光制御手段と、装飾部材１０の動作を制御する動作制御手段を一纏めにした装飾制御手段として説明するが、発光制御手段と動作制御手段は別々のものであってもよい（各制御手段による制御フローが別々に存在していてもよい）。また、保留変化演出が発生したときの全てにおいて、装飾部材１０を以下のように制御しなければならないわけではない。つまり、保留変化演出が発生した場合の少なくとも一部において、装飾部材１０が以下のように制御されるものとする。例えば、所定条件を満たした保留変化演出が発生した場合に、装飾部材１０が以下のように制御される設定としてもよい。
【００２７】
ある保留表示２０がいずれかの特殊態様となる（Ｓ１「Ｙｅｓ」）とき、装飾部材１０を制御する装飾制御手段は、当該特殊態様が複数種の特殊態様（本実施形態では第一特殊態様２１ｓ〜第三特殊態様２３ｓ）のうちのいずれであるかを判断する（Ｓ２）。具体的には、保留表示２０を制御する制御手段から受信したコマンドの内容を解析し、特殊態様の種類を判断する。
【００２８】
そして、第一発光部１１を、設定された特殊態様に合わせた色に発光させる（Ｓ３）（図５参照）。つまり、設定された特殊態様が第一特殊態様２１ｓの場合には第一発光部１１を青色に発光させ（図５（ａ）参照）、第二特殊態様２２ｓの場合には第一発光部１１を緑色に発光させ（図５（ｂ）参照）、第三特殊態様２３ｓの場合には第一発光部１１を赤色に発光させる（図５（ｃ）参照）。このように、第一発光部１１は、特殊態様とリンクした発光態様となる。なお、第一発光部１１の発光色と、各特殊態様の色は、遊技者が見て同じ色であるということが分かればよく、多少の濃淡のずれ等があってもよい。
【００２９】
一方、このように第一発光部１１を特殊態様に合わせた色に発光させている際、第二発光部１２を第一発光部１１とは異なる色に発光させる（Ｓ４）（図５参照）。第一発光部１１が発光している際の第一発光部１１の発光色と異なるものであれば第二発光部１２の発光色どのようなものであってもよい。例えば、第一発光部１１の発光色が青であるときには第二発光部１２の発光色を緑にし、第一発光部１１の発光色が緑であるときには第二発光部１２の発光色を赤にし、第一発光部１１の発光色が赤であるときには第二発光部１２の発光色を青にする、といったように、第一発光部１１の発光色に合わせて第二発光部１２の発光色が変わる設定としてもよい。また、その都度第二発光部１２の発光色が変わる設定としてもよい。本実施形態では、第一発光部１１がいずれの色に発光しているときであっても、第二発光部１２の発光色が黄に設定される。つまり、第一発光部１１の発光色として設定されていない色が第二発光部１２の発光色として設定されている。第一発光部１１と第二発光部１２が発光するタイミングを異ならせてもよい。また、同じ色であっても光の濃淡の差を明確（例：第一発光部を明るく、第二発光部を暗く発光する。また逆に、第二発光部を明るく、第一発光部を暗く発光する。）であれば、濃淡の差により発光態様の差を設定してもよい。
【００３０】
第一発光部１１と第二発光部１２を上記のように発光させている際、上下方向にスライド可能に設けられた装飾部材１０を上下に振動させる（Ｓ５）（図５参照）。振動の幅や周期等はどのようなものであってもよい。これにより、装飾部材１０に注目するよう促す。
【００３１】
本実施形態では、保留表示２０が一旦特殊態様となった場合、当該保留表示２０の当否判定の報知が開始される（いわゆる当該変動となる）まで特殊態様が表示され続ける。よって、特殊態様となった保留表示２０の当否判定の報知が開始されること（Ｓ６「Ｙｅｓ」）をもって、特殊態様に合わせた第一発光部１１の発光およびそれとは異なる色で発光する第二発光部１２の発光を停止し、装飾部材１０の振動を停止する（Ｓ７）（その後、別の演出効果を発現させるために、すぐに第一発光部１１や第二発光部１２が発光することや動作することを否定するものではない）。なお、特殊態様の表示が無くなるまで第一発光部１１や第二発光部１２を上記のように必ず発光させ続けなければならないわけではない。発光する時間（期間）は適宜設定することが可能である。例えば、特殊態様が表示されてから所定時間だけ第一発光部１１や第二発光部１２を上記のように発光させる設定としてもよい。装飾部材１０を振動させる時間（期間）についても同様である。
【００３２】
なお、ある特殊態様が別の特殊態様に変化した場合（いわゆるステップアップした場合等）には、再びＳ１での判断がなされ、当該別の特殊態様に合わせた第一発光部１１および第二発光部１２の制御がなされる。また、複数の保留表示２０のうち、二以上の保留表示２０が特殊態様となった場合の制御については、いずれか一方の特殊態様に合わせた発光態様とする（例えば、先に当否判定の報知が開始される特殊態様に合わせた発光態様とする）等、適宜設定することができる。
【００３３】
このように、本実施形態にかかる遊技機１では、第一発光部１１は特殊態様となった保留表示２０に対応した発光態様となるものの、第二発光部１２は第一発光部１１と異なる色に発光する（演出に対応した発光態様とならない）。つまり、一体的に設けられた両発光部のうちの第一発光部１１のみを特殊態様となった保留表示２０に対応させた発光態様とするため、第一発光部１１とは異なる色に発光している第二発光部１２の発光によって第一発光部１１の発光が特殊態様となった保留表示２０に対応したものであることが強調される。つまり、第一発光部１１の発光態様が演出に対応したものであることを分かりやすくすることが可能である。なお、保留表示２０が通常態様にあるときに、第一発光部１１を通常態様に合わせた発光態様としてもよい。例えば、通常態様の保留表示２０が白や無色である場合には、第一発光部１１を白色に発光させるとよい。
【００３４】
特に、本実施形態では、所定の演出中は第一発光部１１がいずれの発光態様にあるときであっても、第二発光部１２の発光態様は同じである。具体的には、保留変化演出において、第一発光部１１は特殊態様に合わせて様々な色（青・緑・赤）に発光しうるのに対し、第二発光部１２は同じ色（黄）である（図５参照）。これにより、変化しうる第一発光部１１の方が強調されることとなるため、第一発光部１１の発光態様が演出に対応したものであることをより分かりやすくすることが可能である。
【００３５】
また、本実施形態では、第一発光部１１の方が、第二発光部１２よりも保留表示２０が表示される位置に近い位置に設けられている。このような構成とすれば、第一発光部１１の発光態様が特殊態様となった保留表示２０に対応したものであることをより分かりやすくすることが可能である。
【００３６】
また、本実施形態における装飾部材１０は、正面から見て、第一発光部１１の発光面の少なくとも一部と第二発光部１２の発光面の少なくとも一部が連続するように構成されている。第一発光部１１と第二発光部１２が離れていると、それぞれが単に独立して発光しているだけであると感じてしまうおそれがあるところ、第一発光部１１の発光面の少なくとも一部と第二発光部１２の発光面の少なくとも一部が連続するように構成されていれば、第一発光部１１と第二発光部１２の発光態様が異なるとき、第一発光部１１を強調するために敢えて第二発光部１２の発光態様を第一発光部１１と異ならせているのであるということを分かりやすくすることが可能である。
【００３７】
また、本実施形態における装飾部材１０は、第二発光部１２の発光面（第二発光面１２１）よりも、第一発光部１１の発光面（第一発光面１１１）の方が前方に位置するように設けられているため、特殊態様となった保留表示２０に対応する第一発光部１１が第二発光部１２に比して強調される。つまり、第一発光部１１の発光態様が特殊態様となった保留表示２０に対応したものであることをより分かりやすくすることが可能である。
【００３８】
また、本実施形態における装飾部材１０は、第一発光部１１が特殊態様となった保留表示２０に対応した発光態様となっているときに動作するため、遊技者の注目を装飾部材１０に向けることが可能となる。なお、第一発光部１１が特殊態様となった保留に対応した発光態様となっているときに装飾部材１０が常に動作するよう設定されていなくてもよい。つまり、第一発光部１１が特殊態様となった保留表示２０に対応した発光態様となっているときの少なくとも一部において装飾部材１０が動作する設定としてもよい。例えば、装飾部材１０が動作する場合と、動作しない場合とでは、当該保留表示２０に対応する当否判定結果が大当たりとなる蓋然性（いわゆる大当たり信頼度）が異なる設定としてもよい。なお、このような設定とは異なり、装飾部材１０が動作しないような構成（装飾部材１０が動作不可能な構成、動作可能であるが第一発光部１１が特殊態様となった保留表示２０に対応した発光態様となっているときに動作させない構成の両方を含む）としてもよい。
【００３９】
さらに、本実施形態における装飾部材１０は、図６に示すように、上記保留変化演出のような所定の演出が実行されていないときに、第一発光部１１と第二発光部１２が同じ発光態様となる（同じ色に発光する）ときがあるように設定されている。このように設定されていれば、所定の演出が実行されていないときに、両発光部の発光態様が同じであるときがあるのを視認した遊技者は、両発光部の発光態様が異なるものとなったとき、当該「発光態様が異なる」という事象を意味のあるものとして感じる蓋然性が高くなる（発光態様が同じであるときもある、ということによって異なる発光態様となったことが強調される）。したがって、第一発光部１１の発光態様が所定の演出に対応したものであることをより分かりやすくすることが可能である。
【００４０】
上述したように、所定の演出時において、第一発光部１１がいずれの発光態様にあるときであっても、第二発光部１２の発光態様を同じにする（本実施形態でいえば黄色）にする場合、所定の演出が実行されていないときに両発光部の発光態様を同じにする際の発光態様は、当該所定の演出時における第二発光部１２の発光態様と同じにするとよい。そのようにすれば、第一発光部１１と第二発光部１２の発光態様が異なるとき、第二発光部１２の発光態様は所定の演出が実行されていないときであって両発光部の発光態様が同じであったときの発光態様と同じであると遊技者が気づいた場合、第一発光部１１の発光態様が演出に対応しているものであることを発見しやすくなる。
【００４１】
なお、両発光部の発光態様を同じとする時期（契機）等は適宜設定することが可能であるが、「発光態様が異なる」という事象を強調するためであれば、所定の演出時に第一発光部１１と第二発光部１２の発光態様を異ならせるとき以外のときであって、両発光部を発光させることを実行する際には、両発光部の発光態様が同じになるように設定するとよい。
【００４２】
以上、本発明の実施の形態について詳細に説明したが、本発明は上記実施の形態に何ら限定されるものではなく、本発明の要旨を逸脱しない範囲で種々の改変が可能である。
【００４３】
上記実施形態における装飾部材１０は、表示装置９１の下側に設けられることを説明したが、それ以外の位置に設けられるものであってもよい。例えば、遊技機の外縁側に設けられる電飾等にも同様の技術思想が適用可能である。
【００４４】
上記実施形態では、所定の演出の一例として保留変化演出を挙げたが、かかる所定の演出としては保留変化演出以外の演出が種々考えられる。例えば、図７に示すように、表示装置９１に表示される映像（キャラクタや背景等）の色が、青、黄、緑、赤・・・といった順にステップアップしていく可能性がある演出（いわゆるステップアップ演出）等にも同様の技術思想が適用可能である。つまり、第一発光部１１が、ある演出で実行されている所定の事実を表現したり、示唆したりすることができるものであれば、所定の演出はどのようなものであってもよい。
【００４５】
上記実施形態では、第一発光部１１が特殊態様となった保留表示２０の色に対応した発光色で発光するものであることを説明したが、対応させるものは色に限られない。遊技者が、第一発光部１１の発光が、所定の演出で実行されているある事象と関連付けられていることを認識できれば、対応させるものはどのようなものであってもよい。対応関係の一例としては、図８に示すように、ある演出においてストライプの模様が表示されているときに、第一発光部１１を帯が上下方向にならんだかのような発光態様とさせ（第二発光部１２はそれとは異なる発光態様とさせ）、両者を対応づけるものが挙げられる。
【００４６】
上記実施形態では、第一発光部１１が演出のある事象に対応した発光態様となり、第二発光部１２が第一発光部１１とは異なる発光態様となる状態が発生することを説明したが、その逆、すなわち第二発光部１２が演出のある事象に対応した発光態様となり、第一発光部１１が第二発光部１２とは異なる発光態様となる状態（図９（ｂ）参照）が発生することがあってもよい。所定の条件（当否判定結果）等に応じて、第一発光部１１が演出のある事象に対応した発光態様となるケース（図９（ａ）の状態）と、第二発光部１２が演出のある事象に対応した発光態様となるケース（図９（ｂ）の状態）が、切り替え制御される構成としてもよい。
【００４７】
上記実施形態では、各保留表示２０は表示領域９１１の下側縁に沿って（右下に）表示されることを説明したが、当該表示箇所は例示にすぎない。保留表示２０が表示される位置に応じて、装飾部材１０（第一発光部１１および第二発光部１２）の形状や設置する位置を決定すればよい。
【００４８】
上記実施形態では、各保留表示２０は各種演出等が実行されるメインの表示装置９１に表示されるものであることを説明したが、メインの表示装置９１以外の表示装置に表示されるものについても同様の技術思想が適用可能である。保留表示２０が表示される表示装置が、保留表示２０を表示するためだけに設けられた表示装置であってもよい。
【００４９】
上記実施形態から得られる具体的手段（遊技機）を以下に列挙する。
手段１にかかる遊技機は、それぞれを独立して制御することが可能な第一発光部および第二発光部が一体的に設けられた装飾部材を備え、所定の演出が実行されているとき、前記装飾部材の前記第一発光部が当該所定の演出に対応した発光態様となる一方、前記第二発光部が当該第一発光部の発光態様とは異なる発光態様となることを特徴とする。
手段１にかかる遊技機によれば、所定の演出が実行されているとき第一発光部は演出に対応した発光態様となるものの、第二発光部は演出に対応した発光態様とならない。つまり、一体的に設けられた両発光部のうちの第一発光部のみを演出に対応させた発光態様とするため、第二発光部の発光によって第一発光部の発光が演出に対応したものであることが強調される。つまり、第一発光部の発光態様が演出に対応したものであることを分かりやすくすることが可能である。
手段２にかかる遊技機は、手段１に記載の遊技機において、当否判定に関する当否判定情報を所定数記憶可能な記憶手段と、前記記憶手段に記憶されている前記当否判定情報のうち、当否判定結果の報知が開始されていない当否判定情報の存在を示す保留表示を表示する表示装置と、を備え、前記保留表示の態様が通常の態様とは異なる特殊態様となる前記所定の演出の一種である保留変化演出が発生する場合の少なくとも一部において、前記装飾部材の前記第一発光部が当該特殊態様に対応した発光態様となる一方、前記第二発光部が当該第一発光部の発光態様とは異なる発光態様となるようにすることを特徴とする。
手段２にかかる遊技機によれば、第二発光部の発光により、第一発光部の発光態様が、保留表示が特殊態様となったことに対応したものであることを分かりやすくすることが可能である。
手段３にかかる遊技機は、手段２に記載の遊技機において、前記装飾部材は、前記第二発光部よりも、前記第一発光部の方が、前記表示装置における前記保留表示が表示される位置に近くなるように設けられていることを特徴とする。
手段３にかかる遊技機によれば、第一発光部の発光態様が特殊態様となった保留表示に対応したものであることをより分かりやすくすることが可能である。
手段４にかかる遊技機は、手段１から手段３のいずれかに記載の遊技機において、前記所定の演出が実行されていない状態において、前記第一発光部と前記第二発光部の発光態様が同じになるときがあることを特徴とする。
手段４にかかる遊技機のように、第一発光部と第二発光部の発光態様が同じになることがあれば、両発光部の発光態様が異なるものとなったとき、当該「発光態様が異なる」という事象が強調される。つまり、第一発光部の発光態様が所定の演出に対応したものであることをより分かりやすくすることが可能である。
手段５にかかる遊技機は、手段１から手段４のいずれかに記載の遊技機において、前記装飾部材は、正面から見て、前記第一発光部の発光面の少なくとも一部と前記第二発光部の発光面の少なくとも一部が連続するように構成されていることを特徴とする。
手段５にかかる遊技機のように、正面から見たときに両発光部の発光面の少なくとも一部が連続するように設定されていれば、第一発光部と第二発光部の発光態様が異なるとき、発光態様が異なる状態であることを分かりやすくすることが可能である。
手段６にかかる遊技機は、手段１から手段５のいずれかに記載の遊技機において、前記装飾部材は、前記第二発光部の発光面よりも、前記第一発光部の発光面の方が前方に位置するように設けられていることを特徴とする。
手段７にかかる遊技機のように、所定の演出に対応した発光態様となることがある第一発光部が第二発光部に比して強調されるため、第一発光部の発光態様が所定の演出に対応したものであることをより分かりやすくすることが可能である。
手段７にかかる遊技機は、手段１から手段６のいずれかに記載の遊技機において、前記装飾部材は動作することが可能であり、前記第一発光部が前記所定の演出に対応した発光態様となり、前記第二発光部が当該第一発光部の発光態様とは異なる発光態様となるときの少なくとも一部において、前記装飾部材が動作するようにすることを特徴とする。
手段７にかかる遊技機によれば、第一発光部の発光態様が所定の演出に対応したものとなっているとき、遊技者の興味が装飾部材（第一発光部）に惹きつけられやすい。
【符号の説明】
【００５０】
１  遊技機
１０  装飾部材
１１  第一発光部
１１１  第一発光面
１２  第二発光部
１２１  第二発光面
２０  保留表示
２０ｎ  通常態様
２１ｓ  第一特殊態様
２２ｓ  第二特殊態様
２３ｓ  第三特殊態様
９１  表示装置
【図１】
0006528253.tif 000002
【図２】
0006528253.tif 000003
【図３】
0006528253.tif 000004
【図４】
0006528253.tif 000005
【図５】
0006528253.tif 000006
【図６】
0006528253.tif 000007
【図７】
0006528253.tif 000008
【図８】
0006528253.tif 000009
【図９】
0006528253.tif 000010